Podtech/llm-jp-corpus-v4-ja_patent huggingface dataset:
(57)【要約】【課題】従来のデンタルフロスは、１本の糸状であった。そのため清浄中に切れたり、歯の治療跡に引っ掛かり上手く清浄出来ない事があった。細い糸の為１カ所しか清浄出来ず時間を要し、フロスを巻き付けた指先の痛みもあった。指先に巻き付けるフロス部分が不経済となるという課題があった。【解決手段】帯状を形成し伸縮性のある、平面磨き部分と端部磨き部分からなる環状のデンタルフロスを提案する事によって、従来の課題を解決した。【選択図】図１
2019037724.tif 000002
【特許請求の範囲】
【請求項１】
帯状の歯間清掃器具であって、帯状部を歯に巻き付ける事によって歯間と歯の表面を同時に清浄出来る事を特長とした帯状伸縮環状デンタルフロスである。
【請求項２】
前記帯状部は、伸縮自在の材質で形成され、歯の形状に対応して入り込み包み込むので、容易に清浄したい部分にあてる事が出来る事を特長とした請求項１に記載の帯状伸縮環状デンタルフロスである。
【請求項３】
前記帯状部は、環状の形状を成した事を特長とした請求項１および請求項２に記載の帯状伸縮環状デンタルフロスである。
【発明の詳細な説明】
【技術分野】
【０００１】本発明は、帯状を成し伸縮する環状の外観で、個々に異なる歯の形状や治療跡にも対応する柔軟な構造を持つデンタルフロスである。
【背景技術】
【０００２】従来のデンタルフロスは１本の糸状なので、虫歯や治療跡に引っ掛かり切れる事や清浄しにくいので使い方に気をつけていた。糸は歯に接する面積が狭いため１カ所しか磨けず清浄時間を要した。磨き部として使用出来る部分を指先に巻き付けて持ち手にする構造なので、フロスを余分に消費し不経済であった。フロスで指先が締め付けられる事もあった。
【先行技術文献】
【特許文献】
【０００３】特許文献１に示すように、細い糸状に形成されたデンタルフロスを指先に巻き付けて使用するものであった。
【特許文献１】特開平１０−１２７６６９号公報
【発明の概要】
【発明が解決しようとする課題】
【０００４】このような従来記述においては下記に示すような課題があった。
（イ）フロスの形状にあっては、個々の歯の形状に対応出来ず虫歯や治療跡に糸が引っ掛かって切れたりするので細心の使い方を要した。
（ロ）歯と歯に接する面積が狭いため歯間を磨くのに複数回も糸を往復させる必要が生じ、その為に長時間の清浄時間を要した。
（ハ）磨き部であるフロスを指先に巻いて持つ構造だったので、フロスを全長にわたって使用する事が出来ず経済的に問題があった。
【課題を解決するための手段】
【０００５】本発明は、帯状の歯間清掃器具であって、帯状部を歯に巻き付ける事によって歯間と歯の表面を同時に清浄出来、かつ伸縮自在の材質で形成されているので歯の形状に対応して入り込み包み込む事で、容易に清浄したい部分にあてる事が出来、さらにデンタルフロスは環状に形成する。
【発明の効果】
【０００６】（イ）帯状のデンタルフロスなので狭い隙間から容易に歯茎まで到達し、かつ伸縮性があるので様々な形状の歯に密着し対応出来るようになった。
（ロ）帯の端部も表面部も使用可能なので歯と接触面積が広くなり、歯間と歯の側面とを同時に清浄する事が出来る。帯状の面で歯を包み込むように清掃する事で歯の表面部が短時間で清浄出来るようになった。
（ハ）磨き部と持ち手部の区別がないので全体がフロスとして使える。
（ニ）環状なので指に優しく持ちやすい、簡単に取り扱えるようになった。
【図面の簡単な説明】
【０００７】
【図１】本発明の斜視図である。
【図２】本発明の使用状態を示すものである。
【発明を実施するための形態】
【０００８】以下、本発明を実施の形態を図１と図２に基づいて説明する。
【０００９】図１は、帯状伸縮環状デンタルフロスの全体図である。帯状を成し、伸縮自在の材質で形成されており、全体がデンタルフロスとして使える様に環状となっている。
【００１０】ａはデンタルフロスの端部磨き部である。この端部磨き部は歯間を清浄することが出来る。伸縮性を生かし歯の形状応じて対応する様になっている。
【００１１】ｂはデンタルフロスの表面磨き部である。この帯広部は歯の表面に密着し歯の表面を清浄する事が出来る構造になっている。
【００１２】図２は、使用状態の一例を示したものである。帯状部を歯に巻き付ける事によって歯間と歯の表面を同時に清浄出来る。伸縮性を生かして虫歯や歯の治療跡にも使用出来る構造になっている。
【符号の説明】
【００１３】ａ  デンタルフロスの端部磨き部
ｂ  デンタルフロスの表面磨き部
【図１】
2019037724.tif 000003
【図２】
2019037724.tif 000004
(57)【要約】【課題】首飾りは太さや長さが多種あり、見栄えのよい収納が難しく、平置きでは素材によっては絡まりやすく、掛けておくには広いスペースが必要となるなど保管しにくい。【解決手段】Ｔ字の形状の二股フックの、下部の１本の部分のツメ１に首飾りの留め具の部分を上向きに掛け、上部の２本の部分のツメ２ａ・２ｂに開いた２本の首飾りをそれぞれ下向きに掛けて垂らすことにより、フック下部から上部までの長さ４が往復によって重複して首飾りが短くなることで、扱い易く見栄えのよい収納が可能になる。縦置きまたは平置きの収納容器、または壁面またはボードにフックを接着して使用、または前述の３か所の配置のツメ１・２ａ・２ｂのみを壁面または収納容器に接着して使用する。【選択図】図２
2019037728.tif 000002
【特許請求の範囲】
【請求項１】
Ｔ字のような形状で、下部の１本の部分の先は下向きのツメ１を有し、上部の離れた２本の部分の先は上向きのツメ２ａ・２ｂを有する、一旦上向きに掛けることによる往復部分での長さの調整を利用して長い首飾りを短く収納または展示するためのフック。
【請求項２】
請求項１に記述のフックを装備した、首飾りの収納容器およびボード。
【請求項３】
請求項１に記述の配置のフックのツメ１・２ａ・２ｂのみを３か所に施して背面に接着し、請求項１に記述の往復の長さ調整の利用ができるようにした首飾りの収納容器およびボード。
【発明の詳細な説明】
【技術分野】
【０００１】本発明は、限られたスペース内に首飾りを扱い易く収納または見栄えよく展示するためのフックに関するものである。
【発明の概要】
【発明が解決しようとする課題】
【０００２】首飾りの収納において、太さ・長さが多種あるために、見栄えよくかつ扱い易く収納することが難しく、平置きでは素材によっては絡まってしまうものがあるが、１本ずつ掛けておくには、壁に広く丈の長いスペースが必要となる。
【課題を解決するための手段】
【０００３】Ｔ字のような形状で、下部の１本の部分の先には下向きのツメ１を有し、上部の２本の部分の先には上向きのツメ２ａ・２ｂを有する、先ず上向きに掛けることによる往復部分での長さの調整を利用できる二股のフックを収納容器または壁面またはボードに接着して使用する。【０００４】収納する際、まず首飾りの後ろにくる留め具の部分をフックの下部の下向きのツメ１に上にむけて掛け、首飾りを開いて２本にし、上部の２本の上向きのツメ２ａ・２ｂにそれぞれを掛けて垂らす。【０００５】縦置きの収納容器のほうが見栄えはよいが、平置きでも絡まらず扱いやすい。【０００６】上部の２本のツメ２ａ・２ｂの間３は、太い装飾の首飾りが広がって見栄えがよくなるようにするため距離を置き、首飾りの長さに応じて縦の部分の長さ４も調節し、縦の部分４がデザイン的またはコスト的に不要であれば請求項１に記したフックのツメ１・２ａ・２ｂのみをそれぞれ指定の３か所に配置して壁面や容器に接着して使用することも可能とする。
【発明の効果】
【０００７】本発明のフック下部のツメ１に一旦上向きに掛けることにより、フックの下部から上部までの４の長さが重複するため、掛けている時の首飾りの長さが短くなり、扱い易く収納または見栄えよく展示できる。
【図面の簡単な説明】
【０００８】
【図１】フックの図
【図２】フック使用時の正面図
【図１】
2019037728.tif 000003
【図２】
2019037728.tif 000004
(57)【要約】【課題】壁に穴を開けることなく壁の隅に設置できる棚を提供する。【解決手段】壁と本体との接着面に静止摩擦係数の高い素材を用いること、および本体内に押しバネを内蔵することにより、壁と本体との静止摩擦力を高め、ある程度の重さに耐えられることを特徴とする。【選択図】図１
2019069127.tif 000002
【特許請求の範囲】
【請求項１】
壁と本体との接着面に静止摩擦係数の高い素材を用いることおよび本体内に押しばねを内蔵することを特徴とするインテリア。
【発明の詳細な説明】
【技術分野】
【０００１】本発明は、壁に穴を開けることなく壁の隅に設置できる棚に関するものである。
【背景技術】
【０００２】従来、宅内の壁に穴を開けて固定する、物を置くための棚はあった。
【先行技術文献】
【特許文献】
【０００３】
【特許文献１】
【発明の概要】
【発明が解決しようとする課題】
【０００４】そのため、次のような問題点があった。
（イ）壁に穴を開ける必要があるため、賃貸物件などでは施行し難い。
（ロ）浴室のタイルなど、そもそも穴を開けられない箇所には設置できない。
本発明は、これらの問題点を解決するためになされたものである。
【課題を解決するための手段】
【０００５】本発明は、壁と本体との接着面に静止摩擦係数の高い素材を用いること、および本体内に押しバネを内蔵することにより、壁と本体との静止摩擦力を高め、ある程度の重さに耐えられることを最も主要な特徴とする。
【発明の効果】
【０００６】（イ）壁に穴を開けることなく小物を置くための棚を設置できる。
（ロ）物理的に穴を開けることが困難な箇所にも小物を置くための棚を設置できる。
（ハ）デザイン次第では棚のみならず、間接照明などのインテリアも設置できる。
【図面の簡単な説明】
【０００７】
【図１】本発明の仕組みを示した説明図である。
【図２】本発明の使用例を示した写真図である。
【発明を実施するための形態】
【０００８】以下、本発明の実施の形態について説明する。
まず、本発明が使用可能な場所は面と面が直交する箇所、すなわち室内の壁の隅などに限られる。本体は棚の「面」に当たる部分と各壁の面と接着する２本の「アーム」から構成される。「アーム」には壁との接着面に薄く静止摩擦係数の大きいもの（滑り止めシートなど）が装着され、内部に押しバネを内蔵する（図１参照）。「面」と「アーム」は完全に固定されておらず独立しており、先述のバネを介して組んである状態である（図１参照）。バネを縮めた状態で２本の「アーム」を壁の隅に押し当てると、「アーム」はバネの力により「面」から離れることなく、「面」を直交する壁に強く押しつける。この押し付ける力により「アーム」と壁との間には垂直方向（重力方向）にも強い静止摩擦力が発生する。これにより「面」上にある程度の重量物を乗せても、本体は落下することなく、棚としての役割を果たす（図１，２参照）。
なお、棚に限らず同様の仕組みにより、例えば照明装置を壁に設置するなどが可能であり、応用の幅は広いと考える。
【図１】
2019069127.tif 000003
【図２】
2019069127.tif 000004
(57)【要約】【課題】市販の雪上を歩く為の滑り止め器具は大きく、使用するにも手間である。また、つけていると目立つため、紳士靴や婦人靴につけようという気にはならない状況がある。【解決手段】本考案は、雪上を歩く為の滑り止めの器具を靴底のねじ込み穴にねじ込むことで簡単に取り付けが出来、また器具はスパイク状で小さく、つけていても、外見ではわからない。それでいて、雪上を歩く際はしっかりと雪に金属または硬質プラスチックでできた鋲や突起が刺さり、滑り止めの機能を果たすことが出来る。【選択図】図１
2019069125.tif 000002
【特許請求の範囲】
【請求項１】
靴底の踵部分にネジをねじ込める受け具を数カ所埋め込み、金属または硬質プラスチックでできた雪上を歩く際に滑り止めの機能を有する鋲状または突起物が複数付いたスパイク状の器具を該靴底にある受け具にねじ込むことで、普段は、普通の靴として一般の場所で使用することが出来、雪上においては、該スパイクをねじ込むことで雪上を普段と同じように歩くことを可能にした、スパイク着脱式滑り止め靴底。
【発明の詳細な説明】
【技術分野】
【０００１】  本発明は、普段使用する紳士靴、婦人靴を雪上も歩く事を可能にしたスパイク着脱式滑り止め靴底に関するものである。
【背景技術】
【０００２】  近時、雪の日に、会社員が紳士靴や婦人靴で雪上を歩き、転倒してけがをすることがあるが、市販されている滑り止め具は大きく鞄にしまうのにかさばったり、見た目にも悪いため、会社員はなかなか滑り止め具を持ち歩こうとしない状況がある。
雪上を安心して歩くことが出来、それでいて簡単に取り外しができ、しかも小さく持ち運びが楽で、目立たない雪上歩行用の滑り止め具が必要である。
【先行技術文献】
【特許文献】
【０００３】
【特許文献１】特開平１０−５７１１１号公報
【特許文献２】登録実用新案第３０２５８２５号
【特許文献３】特開平１０−２４８６０３号公報
【特許文献４】特開平１１−１５５６０８号公報
【発明の概要】
【発明が解決しようとする課題】
【０００４】  市販の滑り止め器具は大きく、使用するにも手間である。また、つけていると目立つため、紳士靴や婦人靴につけようという気にはならない状況がある。
【課題を解決するための手段】
【０００５】  本発明は、雪上を歩く為の滑り止めの器具を靴底の踵部分のねじ込み穴にねじ込むことで簡単に取り付けが出来、また器具はスパイク状で小さく、つけていても、外見ではわからない。それでいて、雪上を歩く際はしっかりと雪に鋲や突起が刺さり、滑り止めの機能を果たすことが出来る。
【発明の効果】
【０００６】  紳士靴、婦人靴を雪上でも安心して履くことが出来る。器具を取り付けていても目立たない為、履いていても気にならない。また、本発明は踵部分のみを交換することで機能するため、すでに使用している紳士靴、婦人靴を雪上でも安心して歩行できるようにすることが出来る。好みの靴を雪上でも歩けるように変更することが出来る。
【図面の簡単な説明】
【０００７】
【図１】  スパイクを付けた状態の踵部分の透視図
【図２】  スパイクの透視図
【図３】  スパイクをつけない状態の踵部分の透視図
【図４】  スパイクを付けた状態の靴を横から見た図
【図５】  スパイクを付けた状態の踵部分の断面図
【発明を実施するための形態】
【０００８】  以下、発明の実施の形態を説明する。
靴（５）の靴底の踵部分（１）にネジをねじ込める受け具（４）を差し込み固定する。普段のスパイクを装着しない状態においては、この状況で歩行する。
雪が降った際、雪上を歩く際、滑り止めの役割を果たす突起を複数カ所設けたスパイク（２）のシャフト部分（３）を受け具（４）にねじ込み固定させる。
この状態で雪上を歩行すると、スパイク（２）が雪上に刺さり滑り止めの機能を果たす。
【符号の説明】
【０００９】  １  靴底の踵部分
２  スパイク
３  スパイクのシャフト部分
４  受け具
５  靴
【図１】
2019069125.tif 000003
【図２】
2019069125.tif 000004
【図３】
2019069125.tif 000005
【図４】
2019069125.tif 000006
【図５】
2019069125.tif 000007
(57)【要約】      （修正有）【課題】手でレモンを絞る際、衛生的に、かつ、種を料理に落とすことやレモン汁が周囲に飛び散ることがなく、また、レモン汁を垂らし終わった後は、レモンの絞りカスが見えなくなり、食卓の美観を損ねることがない、レモン汁絞り用小袋を提供する。【解決手段】ビニール製の小袋本体１の入口にチャック２を取り付け、小袋本体１の入口近くに、穴を開けて注ぎ口３を取り付け、小袋本体１の注ぎ口３と反対側の面に色を付けた面を付ける。【選択図】図１
2019069130.tif 000002
【特許請求の範囲】
【請求項１】
ビニール製の小袋本体の入口にチャックを取り付け、小袋本体の入口近くに、穴を開けて注ぎ口を取り付け、小袋本体の注ぎ口と反対側の面に色を付けた面を付けることを特徴とするレモン汁絞り用小袋。
【発明の詳細な説明】
【技術分野】
【０００１】  本発明は、レモンをチャック付きのビニール製の小袋に入れて、袋の上からレモンを絞り、袋の注ぎ口からレモン汁を注ぐことが可能な袋に関するものである。
【背景技術】
【０００２】  従来、料理に添えられる厚切りのレモンを絞る際は、素手で絞るのが一般的であった。
【先行技術文献】
【特許文献】
【０００３】
【特許文献１】特開１９９５−２７４１３号公報
【特許文献２】実開１９９６−１７６２７号公報
【発明の概要】
【発明が解決しようとする課題】
【０００４】  これは、次のような問題点があった。
（イ）素手で絞ると不衛生であった。
（ロ）素手で絞ると指が汚れることがあった。
（ハ）絞る際に果肉が指からはみ出して、レモン汁を全て絞り切ることが難しかった。
（ニ）周囲に汁が飛び散ることがあった。
（ホ）垂らしたいところに確実に垂らすことが難しかった。
（ヘ）種が落ちることがあった。
（ト）レモンの絞りカスは食卓の美観を損ねることがあった。
本発明は以上の問題点を解決しようとするものである。
【課題を解決するための手段】
【０００５】  チャック付きのビニール製の小袋の入口近くに、穴を開けてレモン汁を垂らす注ぎ口を設ける。
注ぎ口の反対面に、内部が見えないように色を付けた面を設ける。
以上を特徴とするレモン汁絞り用小袋である。
【発明の効果】
【０００６】（イ）厚切りのレモンをチャック付きのビニール製の小袋に入れて、小袋の上からレモンを絞ることで、衛生的になる。
（ロ）指が汚れなくなる。
（ハ）果肉を全て絞り切ることが可能になる。
（二）袋を傾けて、注ぎ口からレモン汁を垂らすことで、レモン汁が周囲に飛び散ることがなくなる。
（ホ）レモン汁を垂らしたいところだけに確実に垂らすことが可能になる。
（ヘ）種を料理に落すことがなくなる。
（ト）小袋の色を付けた面を上側にすることで、レモンの絞りカスを見えなくすることが出来て、食卓の美観を損ねることがなくなる。
【図面の簡単な説明】
【０００７】
【図１】本発明の正面図である。
【図２】本発明の背面図である。
【発明を実施するための形態】
【０００８】  以下、本発明の実施の形態を説明する。
（イ）図１に示すように、ビニール製の小袋本体（１）の入口にチャック（２）を取り付ける。
（ロ）小袋本体（１）の入口近くに、穴を開けて注ぎ口（３）を取り付ける。
（ハ）小袋本体（１）の注ぎ口（３）と反対側の面に色を付けた面（４）を付ける。
本発明は、以上のような構成である。
本発明を使用するときは、ビニール製の小袋本体（１）の入口から厚切りのレモン（５）を入れて、チャック（２）を閉じる。
小袋本体（１）の上から、厚切りレモン（５）を絞ることで、厚切りレモン（５）全体を絞ることが出来る。
絞ったレモン汁を注ぐ時は、注ぎ口（３）から垂らすことで、レモン汁が周囲に飛び散ることがなくなり、レモン汁を垂らしたいところだけに確実に垂らすことが可能になり、種を料理に落とすことがなくなる。
レモン汁を垂らし終わった後は、小袋本体（１）の色を付けた面（４）を上側にすることで、レモンの絞りカスを見えなくすることが出来て、食卓の美観を損ねることがなくなる。
【符号の説明】
【０００９】    １  小袋本体
２  チャック
３  注ぎ口
４  色を付けた面
５  厚切りのレモン
【図１】
2019069130.tif 000003
【図２】
2019069130.tif 000004
(57)【要約】【課題】本発明は、実際に火花を発生させる模擬刀剣であり、舞台効果を高めることを目的とする。【解決手段】本発明に係る模擬刀剣１の特徴は、刀身２又は剣身９と鍔３と柄４からなり、前記刀身２又は剣身９の刃５部分に火花発生部材７を埋め込む、又は摩擦部材８を貼り付けることを特徴とし、その刀身２又は剣身９に埋め込まれた火花発生部材７を、摩擦部材８を保持する模擬刀剣、盾、鎧等の物体にぶつけることにより火花を発火させる構造とする。【選択図】図１
2019069126.tif 000002
【特許請求の範囲】
【請求項１】
刀身又は刀剣と鍔と柄からなる模擬刀剣において、前記刀身又は刀剣の刃部分に火花発生部材又は摩擦部材の少なくとも一方を埋め込む又は貼り付けることを特徴とする模擬刀剣。
【請求項２】
前記火花発生部材は発火合金であり、前期摩擦部材は紙ヤスリであることを特徴とする請求項１に記載の模擬刀剣。
【請求項３】
前記模擬刀剣の刃に埋め込まれた前記発火合金と、前記模擬刀剣又は盾、鎧の少なくともいずれか一つに設けた紙ヤスリとをぶつけ合い、摩擦させることにより、火花を発生させることを特徴とする請求項１又は請求項２に記載の模擬刀剣。
【発明の詳細な説明】
【技術分野】
【０００１】  本発明は、舞台等で使用する模擬刀剣に関する。
【背景技術】
【０００２】  従来は背景に映像を流すことにより、刀がぶつかり合う際に火花が散る様子を観客に見せる演出が行われていた。実際に刀からＬＥＤ光やスパーク音を出す模擬刀剣は存在する（例えば特許文献１）。しかし、火花を発生させる模擬刀剣はなかった。
【先行技術文献】
【特許文献】
【０００３】
【特許文献１】特開２００６−１０２４６３号公報
【発明の概要】
【発明が解決しようとする課題】
【０００４】  かかる従来の実情に鑑みて、本発明は、実際に火花を発生させる模擬刀剣であり、舞台効果を高めることを目的とする。
【課題を解決するための手段】
【０００５】  第一の発明は、刀身又は剣身と鍔と柄からなり、前記刀身又は剣身の刃部分に火花発生部材又は摩擦部材の少なくとも一方を埋め込む又は貼り付けることを特徴とする模擬刀剣である。【０００６】  第二の発明は、火花発生部材が発火合金であり、摩擦部材は紙ヤスリであることを特徴とする模擬刀剣である。【０００７】  第三の発明は、模擬刀剣の刀身又は剣身に埋め込まれた発火合金と模擬刀剣又は盾、鎧のいずれかに設けた紙ヤスリとをぶつけ合い、摩擦させることにより、火花が発生することを特徴とする模擬刀剣である。
【発明の効果】
【０００８】  上記本発明に係る模擬刀剣の特徴によれば、実際に発生する本物の火花によって、あたかもその場で真剣での斬り合いを行っているような臨場感のある状況を作り出すことが可能となり、より演出効果を高めることが出来る。【０００９】  火花発生部材を構成する発火合金の配合、又は摩擦部材の量、それらの摩擦面積等により、火花量を調整することができ、場面や状況に合わせて物語を盛り上げ、見せ場を作ることに役立つ。
【図面の簡単な説明】
【００１０】
【図１】本発明に係る第一実施例である模擬刀剣の平面図である。
【図２】図１におけるＡ−Ａ線断面図である。
【図３】本発明に係る第二実施例である模擬刀剣の平面図である。
【図４】図３におけるＢ−Ｂ線断面図である。
【発明を実施するための形態】
【００１１】  以下図面、図１〜図４を基に説明する。
【実施例１】
【００１２】  図１の模擬刀剣１は日本刀の例であり、刀身２と鍔３と柄４とからなる。刀身２の一方には刃５が設けられており、他方は峰６である。【００１３】  図２は図１における模擬刀剣１のＡ−Ａ線断面図であり、図２（ａ）は、刀身２の刃５部分に火花発生部材７を埋め込んだものであり、刀身２と火花発生部材７の間には接着剤兼衝撃吸収材として、シリコンゴム等を用いる。【００１４】  火花発生部材７は発火合金であり、例えばフェロセリウム合金等を用いる。【００１５】  図２（ｂ）は、刀身２の刃５部分に摩擦部材８を貼り付けたものであり、刀身２と摩擦部材８の間にはゴム系接着剤等を用い、略Ｕ字型に貼る。【００１６】  摩擦部材８は、例えば紙ヤスリを用いる。
【実施例２】
【００１６】  図３の模擬刀剣１は西洋剣の例であり、剣身９と鍔３と柄４とからなる。剣身９は刃５が２面ある構造となっており、峰６は存在しない。【００１７】  図４は図３における模擬刀剣１のＢ−Ｂ線断面図であり、図４（ａ）は、剣身９の刃５部分の双方に火花発生部材７を埋め込んだものであり、剣身９と火花発生部材７の間には接着剤兼衝撃吸収材として、シリコンゴム等を用いる。【００１８】  図４（ｂ）は、剣身９の刃５部分の双方に摩擦部材８を貼り付けたものであり、剣身９と摩擦部材８の間にはゴム系接着剤等を用い、略Ｕ字型に貼る。【００１９】  図４（ｃ）は、剣身９の刃５部分の一方に火花発生部材７を埋め込み、他方に摩擦部材８を貼り付けたものである。【００２０】  模擬刀剣の使用方法として例えば、双方刀での斬り合いを行う場合には、一方に図１で説明した模擬刀剣を使用し、他方は刀身部分に摩擦材を設けたものを使用して斬り合う。その際、刀剣１の火花発生部材７と他方の摩擦部材８が擦り合うことにより、発火する。【００２１】  又、一方が盾又は鎧の場合、上記模擬刀剣の火花発生部材７がぶつかる部分に摩擦部材８を設けることにより、火花を発生させる。【００２２】  摩擦部材８は、例えば紙ヤスリを用いる。
【符号の説明】
【００２３】１．模擬刀剣
２．刀身
３．鍔
４．柄
５．刃
６．峰
７．火花発生部材
８．摩擦部材
９．剣身
【図１】
2019069126.tif 000003
【図２】
2019069126.tif 000004
【図３】
2019069126.tif 000005
【図４】
2019069126.tif 000006
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
刀身又は刀剣と鍔と柄からなる模擬刀剣において、前記刀身の刃部分に接着剤兼衝撃吸収部材を介して火花発生部分を埋め込み又は前記刀身の刃部分に接着剤を介して摩擦部材をＵ字型に貼り付け、前記刀剣の一方の刃部分に接着剤兼衝撃吸収部材を介して火花発生部材を埋め込むとともに前記刀剣の他方の刃部分に接着剤を介して摩擦部材をＵ字型に貼り付けたことを特徴とする模擬刀剣。
【請求項２】
前記火花発生部材は発火合金であり、前記摩擦部材は紙ヤスリであることを特徴とする請求項１に記載の模擬刀剣。
【請求項３】
前記模擬刀剣の刃に埋め込まれた前記火花発生部材と、前記模擬刀剣又は盾、鎧の少なくともいずれか一つに設けた摩擦部材とをぶつけ合い、摩擦させることにより、火花を発生させることを特徴とする請求項１又は請求項２に記載の模擬刀剣を用いた演出方法。
(57)【要約】      （修正有）【課題】波型より簡単に製作できるジッパーを提供することにある。【解決手段】紙器、ダンボール箱の開封用ジッパーにおいて、２本の直線のクランク状の帯片の直線部にニック１を刻切したもの。【選択図】図５
2019069812.tif 000002
【特許請求の範囲】
【請求項１】
紙器、ダンボール箱の開封用ジッパーにおいて、２本の直線のジグザク状の帯片の直線部にニック１を刻切したもの。
【請求項２】
紙器、ダンボール箱の開封用ジッパーにおいて、２本の直線のクランク状の帯片の直線部にニック１を刻切したもの。
【発明の詳細な説明】
【技術分野】
【０００１】  本発明は紙器・ダンボール箱を消費者が開封するのに、胴体、蓋に形成されている開封用ジッパーに関するものである。
【背景技術】
【０００２】  現在、紙器・ダンボール箱の開封に際して、ナイフなどを使用しないで、簡単に開封するために、図７のような胴体、蓋に「ジッパー」という機能がついている。一般的で一番簡単な方法は抜型に２本の平行の溝を切削し、合板より上の部分の刃を「への字型」に切削し、４５度に折り曲げたものが一般的であった。しかし、この方法は簡単に製作可能であるが、折り曲げられた４５度の部分が合板の宙に浮いている状態なので、その部分が不完全な打ち抜きになった。また折り曲げた部分は１／√２になり、間隔２広くなるので切断しずらくなる。そこで最近では図１のように４５度の折辺の先端が真下に来るように１個、１個折り曲げた４５度辺を埋め込む方法になっている。抜型製作に時間がかかる。
しかしながら、それでも消費者が開封時に帯状の長辺が途中で切れ、困惑するのである。そこで切目の間隔を短くすると、開封には便利であるが、箱の強度が劣化して、輸送時に箱が破損する場合があり、その匙加減が非常にむつかしいのである。また直線状２列だとグルアーで貼合するときにジッパー部で折れてしまい、貼合できないことがある。【０００３】  一方、この方式と異なるジッパーが出現したが普及していない。特許文献１の「波刃」に「ニック」をつける方法である。図８、図２に図示されている。米国で発明されたが、日本でも特許文献２、特許文献３が発明されたが普及していない。これらの発明は先にあげた「４５度ジッパー」に比較して多くの長所を持っている。それは「両方向から開封可能」、ニック以外の部分はすでに完全に紙素材が切断しているので「１００％確実に切断」できる。分厚い「ダンボール」にも最適。特に「紙繊維と直角方向」でも開封時に途中で切断しない。また図７のような「斜めのジッパー」にも最適である。切断跡も４５度ジッパーよりきれいである。【０００４】  しかし、この偉大な発明も普及していない。私が特許文献２の発明者・武井綱吉氏に直接確認したところ、自動曲機の普及した現在でも抜型に「波形」を製作することが大変だと言われた。レーザーで波形を切削した溝に合う波型自身を自動曲機で曲げることに時間もかかるが、曲げた波形を完全に合致させるのが大変であるとのことであった。しばしば徹夜仕事になったとのことであった。
【先行技術文献】
【特許文献】
【０００５】
【特許文献１】ＵＳＰ３００４６９７号
【特許文献２】特開平１０−８１３２６号
【特許文献３】特開２００６−３６３４０号
【発明の概要】
【発明が解決しようとする課題】
【０００６】  本発明は「両方向から開封可能なジッパー」「抜型製作が容易なジッパー」「確実に途中で切断することなしに開封できるジッパー」「開封後の切断線が美称的にきれいなジッパー」「グルアーに掛けた時に引っかからない形状のジッパー」「輸送時には切断せず、開封時には簡単に開封できるジッパー」の効果を持ち、波型より簡単に製作できるジッパーを提供することにある。
【発明を解決するための手段】
【０００７】  図２、図７は公知の曲線のジッパーである。図２では曲線の山部と谷部の間にニック１が刻切されている。図３はこれと同じピッチに対応した発明の実施例である。本発明は公知の図２の曲線をショートカットさせて直線としたものである。形状としては「ジグザク」状になる。これにより製作が簡単になる。図４は理解を簡単にするために図２と図３を重ねて描画した。これは同じ効果であるが、製作時間が円弧の場合は直線ジグザグの場合に比べて１０−２０倍以上の時間がかかる。なぜ波型が時間がかかるかと言えば自動曲機で円弧を曲げる場合、刃材を１ｍｍ送り、回転曲げツールで叩き、「多角形円弧／ポリライン円弧」で円弧を製作するからである。その世界で最初の自動曲機は特開昭６３−３０９３２８号の方法である。
図５は本発明の他の実施例である。「クランク」状の直線である。図３の実施例に比較して鋭利でないので、手にやさしい。
図６は本発明の他の実施例である。全ての直線部分にニック１が敷設されている。また、本実施例は直線片のジッパーでなく、傾斜のジッパーである。このジッパーは紙器、ダンボール箱に適用されたとき、紙の繊維、ダンボール箱の段目に影響されることなく、１００％確実に切断できる。したがって、ニック１は直線に選択的に付設設計される。
【発明の効果】
【００８】本発明は以上の構成をなしているので、
ａ．「両方向から開封可能なジッパー」
ｂ．「抜型製作が容易なジッパー」
ｃ．「確実に途中で切断することなしに開封できるジッパー」
ｄ．「開封後の切断線が美称的にきれいなジッパー」
ｅ．「グルアーに掛けた時に引っかからない形状のジッパー」
ｆ．「輸送時には切断せず、開封時には簡単に開封できるジッパー」
の効果を持つ。
【図面の簡単な説明】
【００９】
【図１】公知の一般的なジッパーの平面図。
【図２】公知の波型ジッパーの平面図。
【図３】本発明の「ジグザグ」のジッパーの平面図。
【図４】公知のジッパーと本発明のジッパーを重ねた平面図。
【図５】本発明の「クランク」のジッパーの平面図。
【図６】本発明の「クランク」で傾斜ジッパーの平面図。
【図７】公知のＵＳＰ３００４６９７号波型ジッパーの平面図。
【符号の説明】
【００１０】ジッパーのニック１
ジッパーの隙間２
【図１】
2019069812.tif 000003
【図２】
2019069812.tif 000004
【図３】
2019069812.tif 000005
【図４】
2019069812.tif 000006
【図５】
2019069812.tif 000007
【図６】
2019069812.tif 000008
【図７】
2019069812.tif 000009
(57)【要約】      （修正有）【課題】前輪を自転車本体に固定することで前輪を固定し、駐輪する場所に関係なく、容易に、短時間で駐輪ができる自動車回転防止具を提供する。【解決手段】伸縮ゴムの両端に丸フックを設けたものを、自転車本体のフレーム、前輪に一本あるいは二本を巻きつけ、丸フック同士を連結させ、前輪を固定する自転車回転防止具。【選択図】図３
2019069748.tif 000002
【特許請求の範囲】
【請求項１】
自転車を駐輪するときは、後輪に付いているスタンドを立て、自転車を所定の場所に止めて置く必要があり、後輪は盗難を考えて、カギを掛けることで固定されるが、前輪は固定されないために、自転車の方向陀の役割を果たすハンドルポストを軸に前輪は回転することになっている。
特に、傾斜のある場所に駐輪する場合には、固定されていない前輪が、後輪を支点に自転車自体が回転することを抑えるために、地表の突起物、もしくは、壁に押し当てて回転しないようにする必要性がある。
このような不安定な駐輪状態を防ぐために、前輪が回転しないように、自転車本体に固定すことで自転車の回転を防ぎ、自転車の回転を止める自転車回転防止具。
【発明の詳細な説明】
【技術分野】
【０００１】  本発明は自転車の駐輪時の、前輪が容易に自転車本体に固定され、所定の位置に駐輪することができるできるように前輪の回転防止に関する。
【背景技術】
【０００２】  従来、自転車の駐輪は、盗難防止のために、所定の場所に、後輪にカギを掛けて駐輪している。
【発明の開示】
【発明が解決しようとする課題】
【０００３】  自転車を駐輪する際には、盗難防止を考えて、後輪にカギを掛け、所定の場所に駐輪することになるが、前輪は図１のハンドルポストを軸に回転するために、様々な方向に向くことで固定されていない前輪は回転し、所定の位置に止めることが難しい、さらに、傾斜ある駐輪所の場合は、後輪を支点に自転車自体が回転することになる。【０００４】  その場合は、地表の突起物、壁に前輪を当てることで、前輪の回転を抑えて駐輪することになるが、このことは、事の他、時間をとられる。【０００５】  本発明は、このような問題点を解決する物であり、前輪を自転車本体に固定することで、前輪は固定され、駐輪する場所に関係なく，容易に、短時間で駐輪ができる自転車回転防止具である。
【課題を解決するための手段】
【０００６】  本発明は、上記目的を達成するために、伸縮ゴムの両端に丸フックを設たものを、自転車本体のフレ−ム、前輪に一本あるいは二本を巻きつけ後に、丸フック同士を連結させ、前輪を固定するものである。
【発明の効果】
【０００７】  上記のような伸縮ゴムの両端に丸フックをつけたもので、自転車本体と前輪とを繋ぐこことで自転車本体と前輪が直線上に固定される。【０００８】  自転車本体と前輪が、固定され、直線上にあることで、自転車は容易に、傾斜のある場所でも回転することなく、安定に、短時間で駐輪が可能になる。
【発明を実施するための最良の形態】
【０００９】  以下、本発明を図１、図２、図３に基づいて説明する。【００１０】  図２のように、伸縮ゴム（１）の両端に取付た丸フック（２）で構成されている。【００１１】  図３の（３）は上記のような伸縮ゴムの両端に丸フックをつけた本発明品の実施使用例である。
【図面の簡単な説明】
【００１２】
【図１】現状の自転車の駐輪状態
【図２】自転車前輪回転防止具
【図３】自転車回転防止具の使用方法
【符号の説明】（１）伸縮ゴム
（２）丸フック
（３）自転車前輪回転防止具の使用
【図１】
2019069748.tif 000003
【図２】
2019069748.tif 000004
【図３】
2019069748.tif 000005
(57)【要約】      （修正有）【課題】炊飯後に別容器に移す際、塊り状になるのを防ぐことができるしゃもじを提供する。【解決手段】しゃもじに取付けるかご型の補助具であって、補助具は複数の網目状の区画を有するかご部１と、しゃもじの持ち手部と一緒に握る握り部２と、しゃもじを固定するための第一の係止部３とを備える。しゃもじに補助具を装着して釜の底の方からご飯を掬いとり、補助具を装着したしゃもじを握ったままひっくり返して米飯を落下させる。【選択図】図１
2019005256.tif 000002
【特許請求の範囲】
【請求項１】
しゃもじに取付けるかご型の補助具であって、該補助具は複数の網目状の区画を有するかご部と、しゃもじの持ち手部と一緒に握る握り部と、しゃもじを固定するための第一の係止部とを備えたことを特徴とするしゃもじ補助具。
【請求項２】
前記しゃもじ補助具は、前記かご部に固定された掬い上げ部を有し、該掬い上げ部に第二の係止部を設けたことを特徴とする請求項１に記載のしゃもじ補助具。
【発明の詳細な説明】
【技術分野】
【０００１】
炊飯後にしゃもじで別容器に移す場合、塊り状になるのを防ぐために、米粒の外側の水分を飛ばすために、しゃもじに取り付けご飯をばらけさせてふんわりとさせる為の補助具である。
【背景技術】
【０００２】
業務用では炊飯後、米粒をつぶさずに、塊り状にならないように別容器に移すには長い経験が必要であったが、短時間でご飯をばらけさせてふんわりとさせるには1本のしゃもじだけでは困難であった。
【先行技術文献】
【特許文献】
【０００３】
【特許文献１】特開２００５−２６１９１８
【発明の概要】
【発明が解決しようとする課題】
【０００４】
炊飯後に別容器に移す場合、塊り状になるのを防ぐために米粒の外側の水分を蒸発させ米粒を潰さずに空気に触れさせるためにしゃもじを縦にして飯切りという行    為をしてご飯をばらけさせる必要があったが業務の場合は時間に制限があり一本のしゃもじでは丁寧に隅々まで行き届かず潰れた米粒の塊りができ米の味覚の大きな役割である粒々感が失われていた。
【課題を解決するための手段】
【０００５】
本発明は、上記課題を解決する為に、しゃもじに取付けるかご型の補助具であって該補助具には複数の面が網目状に形成されていることを特徴とする。しゃもじにかご型の網目状の面を持った補助具を取り付けて、飯をすくいあげ、しゃもじをひっくり返して飯を落下させるため米粒をつぶさずに短時間で飯をばらけさせ空気に触れさせる事が出来るので、米粒の外側の水分を蒸発させる事が出来る。これによってご飯の塊りがなくなり長い経験も必要なく短時間で出来る。
【発明の効果】
【０００６】
本発明によれば、しゃもじにかご型の補助具を付ける事によって米粒を潰さずにほぐす事が出来る。これによって長い経験を必要とせず短時間でふんわりとした米飯になり別容器に移動する事が出来る。
【図面の簡単な説明】
【０００７】
【図１】本発明のしゃもじ補助具を示す斜視図である。
【図２】本発明のしゃもじ補助具をしゃもじに装着した状態を示す斜視図である。
【図３】しゃもじの掬い部を備えた本発明のしゃもじ補助具を示す斜視図である。
【図４】（ａ）図は図３のしゃもじ補助具に大サイズのしゃもじを装着した状態を示す側面図であり、（ｂ）図は小サイズのしゃもじを装着した状態を示す側面図である。
【図５】（ａ）図は本発明のしゃもじ補助具をしゃもじに装着して飯を掬い上げた状態を示す図であり、（ｂ）図は（ａ）図のしゃもじをひっくり返した状態を示す図である。
【図６】（ａ）図は本発明のしゃもじ補助具を使用できる一般的なしゃもじを示す図であり、（ｂ）図は本発明のしゃもじ補助具を使用する際に最適なしゃもじを示す図であり、（ｃ）図は本発明のしゃもじ補助具を使用する際に最適なしゃもじを示す他の図であり、（ｄ）図は（ｃ）図のしゃもじを使用する際に最適なしゃもじ補助具を示す図である。
【発明を実施するための形態】
【０００８】
図１は本発明のかご型のしゃもじ補助具であり、１は複数の網目状の区画を有するかご部であり、２はしゃもじの持ち手部と一緒に握る握り部であり、３はしゃもじ補助具を固定するため裏側に設けた第一の係止部であり、握り部２の反対側に設けられている。図２は本発明のしゃもじ補助具３をしゃもじ４に装着した図であり、しゃもじ４の掬い部の先側が第一の係止部３に嵌り、しゃもじ補助具がしゃもじ４に装着される。
【０００９】
図３は飯を掬いあげる掬い上げ部６と一体になった補助具であり、掬い上げ部６は、かご部１に固定され、第一の係止部３と第二の係止部５が握り部２と反対側に取り付けられている。第一の係止部３はしゃもじ４の先端部が嵌挿されるように開口している。また、第二の係止部５は、しゃもじ４の先端部の一部が嵌合されるように湾曲状に形成されている。第一の係止部３と第二の係止部５により、しゃもじ４の大きさに合わせてしゃもじ４が補助具に固定される。図４（ａ）は図３の補助具の第一の係止部３にしゃもじの前部をかけて大サイズのしゃもじを装着した図であり、図（ｂ）は補助具の第二の係止部５にしゃもじの前部をかけた小サイズのしゃもじを装着した図である。
【００１０】
図５の（ａ）図はしゃもじに本発明のしゃもじ補助具を装着して釜の底の方からご飯を掬いとった図であり、（ｂ）図はしゃもじ補助具を装着したしゃもじを握ったままひっくり返して米飯を落下させる図である。                            
【００１１】
図６（ａ）は一般的なしゃもじ４であり、（ｂ）図はしゃもじ補助具の第一の係止部３が係合する切欠部７と、握り部２の一部が嵌合する嵌合溝８が設けられた専用のしゃもじである。（ｃ）図はしゃもじ４の柄の一部に凹部９を設けた専用のしゃもじであり、（ｄ）図は（ｃ）図のしゃもじを使用するときのしゃもじ補助具であり、凹部９が係合する凸部１０が握り部２に設けられている。これにより、しゃもじの前後左右の安定を保つ事の出来、握り部分にバネ様の性質があれば握った時の凸部１０が嵌り、放した時は外れるので都合が良い。
【符号の説明】
【００１２】
１  かご部
２  握り部
３  第一の係止部
４  しゃもじ
５  第二の係止部
６  掬い上げ部
7  切欠部
8  嵌合溝
9  凹部
10  凸部
【図１】
2019005256.tif 000003
【図２】
2019005256.tif 000004
【図３】
2019005256.tif 000005
【図４】
2019005256.tif 000006
【図５】
2019005256.tif 000007
【図６】
2019005256.tif 000008
(57)【要約】【課題】  ネックレスを円周上の一方向に回転移動させることにより、頚部の皮膚や皮下組織を均一に刺激できることを課題とする。【解決手段】  本発明は、ネックレスに左右の回転方向で皮膚との滑り抵抗に差の出る部品を取り付ける、もしくは、本体形状を加工して、ネックレスと頚部の接触位置を一定方向に回転移動させる機能を付加したことを特徴とする回転式ネックレスの発明である。【選択図】図３
2019005520.tif 000002
【特許請求の範囲】
【請求項１】
ネックレスに皮膚との円周上の滑り抵抗に左右差が発生する部品を取り付ける、もしくは、本体そのものを加工することにより、ネックレスを一定方向に回転移動させる機能を付加し、ネックレスに取り付けたパワーストーンや磁石やチタンなどの機能性素材と頚部の接触位置を回転移動させることを特徴とするネックレス。
【発明の詳細な説明】
【技術分野】
【０００１】  本発明は、頚部に装着するネックレス式の頚部刺激器具に関するものである。
【背景技術】
【０００２】  従来より、気の流れを良くすると言われている水晶やトルマリンなどのパワーストーン製の玉式ネックレスや、物理化学的な刺激で頚部や肩部のコリを低減すると言われている磁気やチタンなどの金属素材を埋め込んだゴム製のリング式ネックレスなどが市販されている。但し、従来のネックレスは、頚部とネックレス接触部の相互の位置関係が最終的に固定化されてしまい、パワーストーンや磁気やチタンなどの機能性素材は頚部の一定の部位に留まり、頚部に対して同一場所の刺激効果しか発揮できなかった。
【発明の概要】
【発明が解決しようとする課題】
【０００３】  ネックレスを円周上の一方向に回転移動させることにより、頚部の皮膚や皮下組織を均一に刺激できることを課題とする。
【課題を解決するための手段】
【０００４】  本発明は、ネックレスに頚部を中心軸として右回りと左回りの回転方向で皮膚との滑り抵抗に差が出る左右非対称の部品を取り付ける、もしくは、本体そのものを加工することにより、ネックレス本体を一定方向に回転移動させる機能を付加し、ネックレスと頚部の接触位置を固定化せずに移動させることを特徴とする回転式ネックレスを提供するものである。
【発明の効果】
【０００５】  従来のネックレスは、頚部に装着するとネックレスの不均一な重力バランスや取り付け金具などの構造的影響などで円周方向への回転がなく最初に装着した場所で留まるか、ネックレスの重量バランスが均衡される場所に回転移動して留まる。つまり、ネックレスと頚部の相互の位置関係が最終的に固定化されてしまう。例えばネックレスの円周上に複数のパワーストーンや磁石やチタンなどの機能性素材を取り付けていても、ネックレス自身に円周方向への回転移動が無く、それぞれのパワーストーンや磁石やチタンなどの機能性素材は頚部の一定の部位に留まり、頚部に対して同一場所の刺激効果しか発揮できなかった。
また、頚部には、東洋医学で説明される大腸経、胃経、小腸経、胆経、三焦経、膀胱経などの経絡が通じており、また大椎、肩井、肩中癒などの肩こりに最適なツボもあるが、人それぞれに経絡やツボの位置も異なり、ネックレスに取り付けられている機能性素材でそれぞれを均一に刺激していくことは難しかった。
本発明のネックレスを頚部に装着することにより、日常行動の動作で頚部からネックレスに上下方向や前後方向や左右方向や回転方向の振動が伝わり、頚部を中心軸として右回りと左回りの回転方向で皮膚との滑り抵抗の少ない方向にネックレス本体が徐々に回転移動し、それに伴ってネックレスに取り付けられた機能性素材と頚部の接触位置も移動し、頚部の皮膚や皮下組織に対して均一な刺激が可能となる。
例えば、伸縮性のある糸に、まず４ｍｍの球状の小玉を８個、次に横三角錐上の滑り抵抗差のあるゴム材質の部品を１個、次に１０ｍｍの球状の大玉を１個、次に４ｍｍの球状の小玉を８個、次に横三角錐状の滑り抵抗差のあるゴム材質の部品を１個、次に１０ｍｍの球状の大玉を１個という様に、繰り返して次々に繋げていくと約４８ｃｍのネックレスが製造できる。注意点は、横三角錐状の滑り抵抗差のあるゴム材質の部品を同一方向にそろえることである。日常のスポーツや家事などでの動作の強弱もあるが、ネックレスを頚部に装着して、ネックレス本体が、例えば右方向に約半日で１０ｃｍ回転移動すると、上記の経絡上を大玉が平均２回接触刺激したことになる。加えて、大玉が回転途中で上記のツボに接触することにより、大玉の重量でツボ押し効果も期待される。
大玉に代えて、磁気やチタンなどの機能性部品を取り付けることにより、頚部の全周にわたって物理化学的な刺激を均一に行き渡らせることも可能となる。
右回りと左回りの回転方向で皮膚との滑り抵抗差のあるゴム製部品は、金属やプラスチック素材でもよいし、玉やリングなどの本体そのものを左右非対称に加工して、同一方向に効率よく回転作用が働くようにしてもよい。
また、ネックレスに限らず、リストバンドや足首バンドなどにも応用が可能である。
【図面の簡単な説明】
【０００６】
【図１】本発明の本体構造を示す説明図である。
【図２】本発明の左右方向への滑り抵抗の大小を示す拡大説明図である。
【図３】本発明の頚部への実施形態における回転方向を示す見取り説明図である。
【符号の説明】
【０００７】    １、４ｍｍ小玉
２、１０ｍｍ大玉
３、横円錐状滑り抵抗部品
４、伸縮性糸
５、糸結束用つぶし玉
６、人体頚部
【図１】
2019005520.tif 000003
【図２】
2019005520.tif 000004
【図３】
2019005520.tif 000005
(57)【要約】【課題】  ベッドに付帯したトイレの汚物や汚水が溜まると、匂いの問題や定期的な廃棄や清掃等、後処理が必要になるため、トイレに連れて行くか、おまるを使用するのと大差がなくなり、ベッド付帯のトイレはいままであまり普及していない。【解決手段】  ベッドが置かれる部屋の壁に温水の供給と汚水の排水が同時に可能な部分を作り、そこにベッドを接続させることで、温水供給管とベッドに付帯の入水菅を連結し、体を洗いながら汚水をベッド外に排出することが可能となる。【選択図】図１
2019005514.tif 000002
【特許請求の範囲】
【請求項１】
一般の家やマンションの室内の壁、病室や介護室の壁に温水が取り出し可能な温水供給管と排水を流すことができる排水菅とを設置し、あるいは一般の家やマンションの室内、病室や介護室に温水が取り出し可能な温水供給管と排水を流すことができる排水菅とを兼ね備えた装置を設置し、そこにベッドを接続することで、該温水供給口から温水をベッドに取り込み、該排水管に排水を流すことを可能にした水洗トイレ付帯ベッド
【発明の詳細な説明】
【技術分野】
【０００１】
本発明は、トイレの匂いや音が気にならないよう温水を流しながら排泄が
可能で、また体に付着した汚物を洗い流すことができ、かつ温風で身体の水分を除去可能な水洗トイレ付ベッドに関するものである。
【背景技術】
【０００２】
ベッドに寝ながら排泄するためには、おまるを用意したり、お尻の部分に便座又は便座に相当する部分を用意し、汚物を収納するタンクを用意する必要があるが、匂いがしたり汚物の後処理が付きまとう。又、水洗化するとタンクが汚水ですぐにいっぱいになり、同様に汚水の後処理がつきまとう。
【先行技術文献】
【特許文献】
【０００３】
【特許文献１】特開2015-202389号公報
【発明の概要】
【発明が解決しようとする課題】
【０００４】
ベッドに付帯したトイレの汚物や汚水が溜まると、匂いの問題や定期的な廃棄や清掃等の後処理が必要になるが、本発明では汚物や汚水をベッドの外に流し、不快な後処理を不要にする。
【課題を解決するための手段】
【０００５】
部屋の壁や装置に設置された温水供給管とベッドに付帯の入水菅を連結し、ポンプを使い、ベッド側に給水を行う。また部屋の壁や装置に設置された排管に対し、ベッドからの排水菅が同時につながり、排水が流れるシステムとなる。ベッド側の入水口の高さ位置と各種室内の壁側の高さ位置を基本的に合わせた上に、製造誤差やベッドのタイヤの空気圧等で生ずるわずかな高さ位置のずれを吸収するための構造をメス型コンセント内臓のベッド側インローと入水菅に設置する必要があり、例えば該入水菅を３本のバネでつるすようにし、該温水供給管に習うような構造とする。
【発明の効果】
【０００６】
本発明により、大量の温水を使用してもタンク等に溜まりあふれ出すことなく、身体の汚れを落とし汚物を流し、匂いがなく清潔なベッド付帯トイレが実現可能になる。
【図面の簡単な説明】
【０００７】
【図１】本発明の概要を示す。
【発明を実施するための形態】
【０００８】
ベッドに車輪をつけ移動可能にし、温水供給管と排水管のある場所まで行き、そこに接続することで、温水と排水管の両方を使えるようにし、大量の温水を使用してもそのまま排水菅に流れ、一般の便座トイレと変わらない使用感のものとする。
【０００９】
図1において、温水供給管２と入水管５とがぶつかりなくスムーズに結合するためには、まずオス型コンセント内臓の壁側インロー１とメス型コンセント内臓のベッド側インロー４とを合わせるように、タイヤ１２付きのベッド本体１０を動かし、コントロールしてインローを挿入する。これによって、正確に温水供給管２と入水管５とが結合し、ポンプ６の力で温水槽16の温水が、温水供給管２及び入水管５を通して、ベッド本体１１側に供給される。尚、入水管５は３本のばねでつるすように保持されており、温水供給管２とのラジアル方向のずれを補正・アジャストしながら結合される。
ポンプ５によって供給された温水は、上側ノズル９と下側ノズル１０を通して、汚物洗浄に使用される。その汚水は、排水受け８で一旦受けて、排水管７から、部屋の壁に設置された排水菅３へと流れていく。
人体１４は、回転ローラー付サポート１５によって支えられ、一番排泄しやすい体勢になるよう、各回転ローラー付サポート１５の高さバランスを変えることができ、排泄用穴１３部から排せつ物が落下する構造になっている。
尚、本図では１〜３、１６は壁に設置されているが、壁ではなく全体を装置化することも可能であり、さらに排水を排水ポンプを使い外部や排水孔に強制的に送り出すことも可能である。
【産業上の利用可能性】
【００１０】
本発明により介護者が排せつ物や排水を扱う必要がなく、省力化になるほか、汚物や排水を扱わずにすむことが、介護する側と介護されるが側の双方の精神的な負担を減らすことが可能となる。
【符号の説明】
【００１１】
１  オス型コンセント内臓の壁側インロー
２  部屋の壁に設置された温水供給管
３  部屋の壁に設置された排水菅
４  メス型コンセント内臓のベッド側インロー
５  入水管
６  ポンプ
７  排水管
８  排水受け
９  上側ノズル
１０  下側ノズル
１１  ベッド本体
１２  タイヤ
１３  排泄用穴
１４  人体
１５  回転ローラー付サポート
１６  温水槽
【図１】
2019005514.tif 000003
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
一般の家やマンションの室内、病室や介護室に温水が取り出し可能な温水供給管と排水を流すことができる排水菅とを兼ね備えた装置をユニット化して設置し、該ユニットに対して、ベッドを運搬して、ベッド側インローと該ユニット側インローとをドッキングすることで、該ベッド側と該ユニット側の双方の温水供給菅と排水管とが同時につながり、該温水供給菅から温水をベッドに取り込み、該排水管に排水を流すことを可能にした水洗トイレ付帯ベッド。